(57)【要約】【課題】椅子に着座中の椅子の使用者が通常の着座姿勢をとった後に、例えば映画館での映画鑑賞姿勢のように、若干上向き加減の着座姿勢を取ることが可能で、しかも座るのも立ち上がるのも楽な椅子を提供する。【解決手段】本発明の椅子は、使用者が座る着座部と、該着座部の下方に接続された脚部３と、該脚部３の下端に接続され、接地面２ａが前後方向に一定長さで延びる台座部とを備えた椅子において、前記台座部の前端部と後端部との間の中間点近傍であって前記台座部の接地面２ａと床面Ｆとの間に、前記着座部の着座面１ａが前記床面Ｆに対して後傾する傾動支点Ｋを設けたことを特徴とする。【選択図】図２
2015123269.tif 000002
【特許請求の範囲】
【請求項１】
使用者が座る着座部と、該着座部の下方に接続された脚部と、該脚部の下端に接続され、接地面が前後方向に一定長さで延びる台座部とを備えた椅子において、
前記台座部の前端部と後端部との間の中間点近傍であって、前記台座部の接地面と床面との間に、前記着座部の着座面が、前記床面に対して後傾する傾動支点を設けたことを特徴とする椅子。
【請求項２】
請求項１記載の椅子において、
前記傾動支点は、前記台座部の下面に設けられ、前記前端部と後端部とを結ぶ線よりも前記床面方向に突出した突出部であり、
前記着座部は、前記脚部と前記着座部との間に回転軸受を介設することにより、
前記着座部の着座面が床面に対して回動することを特徴とする椅子。
【請求項３】
請求項１又は請求項２に記載の椅子において、
前記着座部の前端部周辺を囲うことにより、使用者の足が前記床面と前記着座部の前端部との間で挟み込まれるのを防止する安全カバーを設けたことを特徴とする椅子。
【請求項４】
請求項１〜請求項４のうちのいずれか１項の請求項に記載の椅子において、
前記着座部の下部を、床面方向に突出する「く」の字状に形成することにより、前記着座部の傾動動作が、前記後傾姿勢に加えて、更に前傾姿勢をも加えた２姿勢から成る動作であることを特徴とする椅子。
【発明の詳細な説明】
【技術分野】
【０００１】
本発明は、椅子に関し、例えば映画館の館内座席のように、使用者の目線を上方に向ける必要がある用途に好適な、座るのも立ち上がるのも楽な椅子に関する。
【背景技術】
【０００２】
安楽椅子の別名であるロッキングチェアは、周知のように、椅子の脚部の下端に床面方向に凸状にカーブした一対のそり状の台座を平行に設けたものであって、使用者がロッキングチェアの座面に座ると、使用者の座った重心位置に対応して、座面が前後方向に揺りかご状に揺動するものである。
【０００３】
かかるロッキングチェアの歴史はかなり古いものであり、欧米では数世紀前から使用され、枚挙にいとまがないほどに種々のタイプのものが存在する。
【０００４】
例えば、図１３に示す従来のロッキングチェア５０は、従来は曲線状であった台座５１の接地面が５面の直線部分５２ａ〜５２ｅを接続して成るものである。
【０００５】
このように従来は滑らかな曲線であったロッキングチェア５０の台座５１の接地面を複数の直線部分５２ａ〜５２ｅで構成した理由は、台座５１の接地面が滑らかな曲線であると、使用者（不図示）が着座部５３に座り、この着座部５３上でわずかに動いても使用者の身体の重心が移動する結果、台座５１が敏感に傾き、これが使用者によってはかえって不安定感を招いたからである。
【０００６】
そこで、図示は省略するが上記台座の５面もの多くの直線部分５２ａ〜５２ｅで構成するのを止めて、２面、すなわち台座の接地面のうち、使用者の足が位置する前部部分のみを床面Ｆから離れる方向に傾斜させた、例えば特許文献１及び特許文献２に記載のロッキングチェアがある。
【０００７】
このロッキングチェアの特徴は、図示は省略するが、台座の接地面を使用者の足が位置する前部部分のみを床面から離れる方向に傾斜させた結果、使用者が着座面から立ち上がる場合は、ロッキングチェアが使用者の前方向に傾動することができるので、使用者が老人、病人や、子供の場合にはロッキングチェアから立ち上がり易いものとなる。
【０００８】
しかし、これら特許文献１及び特許文献２に記載のロッキングチェアは、いずれも台座の後部が座面と平行に形成されていること及び台座の接地面が前方に位置しているという共通点がある。
【０００９】
したがって、例えば映画館の館内座席のように映画鑑賞中は若干上向き姿勢（本発明では以下「後傾姿勢」と略称する。）を取る必要がある場合は、上向き姿勢が取れない上に、ロッキングチェアの着座面が床面と平行であるので長時間座っていると疲れるという問題がある。
【００１０】
また、着座姿勢が後傾姿勢のロッキングチェアから使用者が立ち上がろうとする場合、健常者では何ら問題ないが、足腰等が弱くなった老人や病人では立ち上がるのが困難である。
【００１１】
さらに、それぞれの特許文献の図にみられるように、使用者の足近くで台座の先端部が上下動するため、使用者の足が台座の先端部と床面との間で挟まれ、怪我をし易いという問題がある。
【先行技術文献】
【特許文献】
【００１２】
【特許文献１】特開２０１３−１５８５０２号公報（請求項１、図１、図４）
【特許文献２】特開２００３−３８１号公報（請求項１、図３、図８）
【発明の概要】
【発明が解決しようとする課題】
【００１３】
そこで、本発明は、上記問題点を解消すべくなされたもので、ロッキングチェアに着座中の使用者が通常の着座姿勢をとった後に、例えば映画館での映画鑑賞姿勢のように若干上向き加減の着座姿勢をも取ることが可能で、しかも座るのも立ち上がるのも楽な椅子（以下、単に「椅子」と略称する。）を提供することを目的とする。
【課題を解決するための手段】
【００１４】
上記課題を解決するため、本発明に係る椅子は、使用者が座る着座部と、該着座部の下方に接続された脚部と、該脚部の下端に接続され、接地面が前後方向に一定長さで延びる台座部とを備えた椅子において、
前記台座部の前端部と後端部との間の中間点近傍であって、前記台座部の接地面と床面との間に、前記着座部の着座面が、前記床面に対して後傾する傾動支点を設けたことを特徴とする(以下、この発明を「第１発明」と称する。)。
【００１５】
ここで、本発明の椅子の各部材の前後及び上下方向については、使用者が台座部に着座した姿勢から見て、その前後方向を本発明に係る椅子の各部材の「前後方向」と称し、使用者の着座姿勢から見て、その上下方向を本発明に係る椅子の各部材の「上下方向」と称することにし、「幅方向」についても同様である。
【００１６】
また、「前記台座部の前端部と後端部との間の中間点近傍」とは、台座部の接地面と床面との間に位置する「傾動支点」の前後方向の位置のことであるが、具体的には、台座部の後端部から傾動支点間までの長さが、台座部の全長に対して４０〜５０％の範囲内をいう。当該「傾動支点」の位置が後端から４０％以上の位置に存在すると、後傾時の椅子の安定度が高くなり、使用者は不安感がない状態で継続して自分の目線がやや上向きになった状態で着座することができる。一方、当該「傾動支点」の位置が後端から５０％以下の位置に存在すると、通常の着座状態であり、使用者はこの状態を長時間、維持することができる。
【００１７】
「傾動支点」としては、要するに本発に係る椅子の全体が後傾することによって、その一構成部材である着座面も床面に対して後傾するための支点であるから、傾動支点の配設位置は、大別して台座部側に設ける場合と、床面側に設ける場合とがある。
【００１８】
前記第１発明において、前記傾動支点は、前記台座部の下面であって、前端部と後端部とを結ぶ線よりも床面方向に突出した突出部とし、前記着座部は、前記脚部と前記着座部との間に回転軸受を介設することにより、前記着座部の着座面が床面に対して回動するようにしても良い(以下、この発明を「第２発明」と称する。)。
【００１９】
前記回転軸受としては、スラストベアリグであれば申し分ないが、円盤状の滑り軸受や含油軸受であっても良い。
【００２０】
前記第１発明又は第２発明の椅子において、前記着座部の前端部周辺を囲うことにより、使用者の足が前記床面と前記着座部の前端部との間で挟み込まれるのを防止する安全カバーを設けてもよい(以下、この発明を「第３発明」と称する。)。
【００２１】
安全カバーとしては、種々のタイプのものが含まれ、床面と着座部の前端部との間に形成される隙間を囲うもの、使用者の足を前記隙間から物理的に遠ざけるものが挙げられる。
【００２２】
前記第１発明〜第４発明のうちのいずれかの椅子において、前記着座部の下部を、床面方向に突出する「く」の字状に形成することにより、前記着座部の傾動動作が、前記後傾姿勢に加えて、更に前傾姿勢をも加えた２姿勢から成る動作が可能であるようにしても良い(以下、この発明を「第４発明」と称する。)。
【発明の効果】
【００２３】
第１発明の椅子によれば、台座部の接地面と床面との間に着座部の着座面床面に対して後傾する傾動支点を設けたので、例えば映画館での画像鑑賞のように目線を上向ける必要がある場合には、使用者が体重を後方に移動させるだけで容易に姿勢変更をすることができる。使用者がこのような後傾姿勢を取れると、長時間椅子に座っていても安定感があり、大変楽である。
【００２４】
第２発明の椅子によれば、第１発明の効果に加え、本発明の椅子の着座部は、着座面が床面に対して回動することができるので、椅子から立ち上がる場合は、後傾姿勢中の椅子を反転させることで着座面が直ちに前傾姿勢となる。したがって、使用者が例えば身障者や老人の場合は、椅子の着座面から容易に立ち上がることができる。
【００２５】
一方、椅子に着座する場合は、着座面から立ち上がった直後の上記着座面が前傾姿勢になった椅子に着座した後に、使用者が着座した状態のままで椅子を反転させることで、上記の後傾姿勢を直ちに取ることができる。
【００２６】
したがって、本発明の椅子は、座ることも立ち上がることも楽な椅子が容易に得られることになる。
【００２７】
第３発明の椅子によれば、第１発明及び第２発明の効果に加え、使用者の足が床面と着座部の前端部との間で挟み込まれるのを防止する安全カバーを設けたので、使用者が椅子の傾動時に不意に自分の足を怪我することがない。
【００２８】
第４発明の椅子によれば、第１発明〜第３発明の効果に加え、着座部の下部を床面方向に突出する「く」の字状に形成したので、椅子の着座面を後傾姿勢にする事ができることに加えて、更に前傾姿勢をも加えた２位置姿勢にすることができる。したがって、本発明の椅子は、着座面を回動しなくても椅子からの立ち上がりが容易になり、より一層、座ることも立ち上がることも楽な椅子が容易に得られる。
【図面の簡単な説明】
【００２９】
【図１】図１は、本発明の第１実施形態に係る椅子の側面図である。
【図２】図２は、図１の椅子の使用方法を示す側面図で、このうち図２（ａ）は通常使用時の側面図、図２（ｂ）は椅子を後傾した時の側面図、図２（ｃ）は椅子を図２（ｂ）の状態から着座部を１８０°半回転させた側面図、図２（ｄ）は図２（ｃ）の状態の椅子から使用者が立ち上がった状態を示す側面図である。
【図３】図３は、本発明の他の椅子の実施例であり、このうち図３（ａ）は、台座の一部を破断して示した側面図、図３（ｂ）は、図３（ａ）とは異なるタイプの台座部分の側面図である。
【図４】図４も、本発明の他の椅子の実施例であり、このうち図４（ａ）は、台座部の側面図、図４（ｂ）は、図４（ａ）の台座部の円領域の拡大側面図である。
【図５】図５は、本発明の第２実施形態に係る椅子の側面図である。
【図６】図６（ａ）は、図５の椅子の台座部分に使用されている安全カバーの斜視図、図６（ｂ）は図６（ａ）のタイプとは異なるタイプの安全カバーの斜視図である。
【図７】図７は、図６（ａ）の安全カバーの３面図で、このうち図７（ａ）は平面図、図７（ｂ）は正面図、図７（ｃ）は左側面図である。
【図８】図８は、図６（ｂ）の安全カバーの３面図で、このうち図８（ａ）は平面図、図８（ｂ）は正面図、図８（ｃ）は左側面図である。
【図９】図９は、本発明の第３実施形態に係るパイプ椅子タイプの椅子の図で、このうち図９（ａ）は、全体斜視図、図９（ｂ）は、図９（ａ）の椅子の使用状態を示す部分側面図である。
【図１０】図１０は、図９（ａ）中の連結部の他の実施例で、このうち図９（ａ）は部分側面図、図９（ｂ）は図９（ａ）中の支点部のＡ―Ａ線位置における横断面図である。
【図１１】図１１は、本発明の第４実施形態に係る折り畳みが可能なパイプ椅子タイプの椅子の側面図である。
【図１２】図１２は、図１１の椅子を折り畳んだ状態の側面図である。
【図１３】図１３は、従来のロッキングチェアの斜視図である。
【符号の説明】
【００３０】
１    着座部
２    台座部
３    脚部
４    着座回転部
５    肘掛け部及び背もたれ部
１０Ａ    椅子（本発明）
１０Ｂ    椅子（本発明）
１０Ｃ    パイプ椅子（本発明）
１０Ｄ    パイプ椅子（本発明）
１１      安全カバー
１２      安全台
５０      ロッキングチェア（従来技術）
Ｆ    床面
Ｇ    使用者の身体の重心
Ｋ    傾動支点
Ｐ    使用者
【発明を実施するための形態】
【００３１】
以下、本発明に係る椅子の各種実施形態を図面に基づいて説明する。
【実施形態１】
【００３２】
図１は、本発明の第１実施形態に係る椅子１０Ａの側面図であり、着座部１が回転するタイプのものである。
【００３３】
なお、本発明では、使用者Ｐ（図２）が台座部２に着座した姿勢から見て、その前後方向を本発明の椅子１０Ａにおける「前後方向」（図１では紙面の左右方向）と称し、その幅方向を本発明の椅子１０Ａにおける「幅方向」（図１では紙面に直交する方向）と称し、その上下方向を本発明の椅子１０Ａにおける「上下方向」（図１では紙面の上下方向）と称することにし、その他の実施形態の椅子についても同様である。
【００３４】
図に示すように、本実施形態の椅子１０Ａは、着座部１と、台座部２と、脚部３と、着座回転部４と、肘掛け及び背もたれ部５とで構成されている。
【００３５】
台座部２は、椅子１０Ａのいわばベースであって、前後方向に延びる棒状のものである。図示は省略したがあたかも一対の「そり」状のものが幅方向に所定間隔で平行に配置されている。しかし、台座部２の接地面２ａは、台座部２の前部に存在し、着座部１の着座面１ａに対して平行に接地長さＬ１で形成されている。台座部２の後部は、床面Ｆに接地しておらず、長さＬ２部分が高さＪだけ切り欠かれて切欠面２ｂが形成されている。
【００３６】
脚部３は、台座部２上に固定され、本実施形態では４脚のものであるが、その脚数は特に限定されない。また、脚部３の形状は本図のように棒状でなく、勿論、パイプ状や板状のものであってもよい。４脚の上端には台板３ａが固定されている。
【００３７】
着座回転部４は、脚部３と着座部１との間に介設され、着座部１を脚部３に対して回転させるものであり、当該部分に例えば図示しないスラストベアリング、滑り軸受等が内蔵されている。
【００３８】
着座部１は、使用者が臀部を載せる板状のもので、本実施形態では着座面１ａは平面視で四角形のものであるが、勿論如何なる形状のものであっても良い。
【００３９】
肘掛け部５ａも着座部１の幅方向の両端部に一対固定されており、背もたれ部５ｂは、着座面１ａに対してやや後傾姿勢となっており、その上端部には平面視で湾曲した背当て部５ｃが固定されている。
【００４０】
次に、図２を参照して図１の実施形態の椅子１０Ａの使用方法を説明する。
【００４１】
まず、図２（ａ）は、図１の椅子１０Ａの着座部１に使用者Ｐが着座した状態を示す側面図で、台座部２の接地面２ａと着座部１とは互いに平行である。また、使用者Ｐの重心Ｇが台座部２の傾動支点Ｋよりも前側にあるため、この椅子１０Ａはこの位置で姿勢が安定する。したがって、使用者Ｐの視点Ｓは床面Ｆとほぼ平行になり、使用者Ｐは通常はこの着座姿勢で椅子１０Ａを使用する。
【００４２】
しかし、健常者でも長時間同じ姿勢をとり続けることは大変つらく、身障者や足腰の弱った高齢者ではなおさらである。そこで、図２（ｂ）に示すように、使用者Ｐは、自分の背中を背もたれ部５ｂにもたらせる。すると、椅子１０Ａは、使用者Ｐの身体の重心Ｇの移動により、椅子１０Ａは使用者Ｐと一体となって、台座部２の傾動支点Ｋを支点として後ろ側に傾き、床面Ｆに対して角度αの後傾姿勢となる。この場合、使用者Ｐの重心Ｇが台座部２の傾動支点Ｋよりも後側に移動するので、椅子１０Ａはこの位置で安定する。この場合、図のように使用者Ｐの視点は椅子１０Ａの傾動角度αと同一角度α（換言すると目線角度）で上向くので、前述したように映画館での映画鑑賞や会議中の休憩時には使用者Ｐにとって大変楽な着座姿勢となる。
【００４３】
次に、使用者Ｐが椅子１０Ａから立ち上がる場合は、まず図２（ｂ）に示すように、使用者Ｐは着座したままの状態で着座部１を脚部３に対して半回転（１８０°）反転させる。この状態を示したのが図２（ｃ）である。すなわち、この図は使用者Ｐが着座部１に着座したままの状態で肘掛け部５ａ及び背もたれ部５ｂとともに一体となって半回転（１８０°）した状態である。
【００４４】
すると、使用者Ｐは、図２（ｂ）の状態では後傾姿勢であったのが、図２（ｃ）の状態では前傾角度αの前傾姿勢となるので、使用者Ｐは、図２（ｄ）に示すように、自分の手で肘掛け部５ｂの前端を押すだけで、椅子１０Ａの着座面１ａから容易、かつ、速やかに立ち上がる事ができる。一方、椅子１０Ａに着座する場合は、着座面１ａから立ち上がった直後の図２（ｃ）の状態の椅子１０Ａに使用者Ｐが前傾姿勢で着座した後に、その着座姿勢のままで椅子を半回転（１８０°）させることで、上記図２（ｂ）の後傾姿勢を直ちに取ることができる。
【００４５】
したがって、本実施形態の椅子１０Ａは、座ることも立ち上がることも楽な椅子であるため、使用者Ｐが例えば身障者や足腰の弱った高齢者の場合は、大変便利で使い勝手の良いものとなる。
【００４６】
なお、使用者Ｐが椅子１０Ａから立ち上がる最中に着座部１が不意に回転すると危険であるが、この現象は公知の介護椅子等に見られるブレーキレバーを脚部３の外側面に設け、着座部１から使用者Ｐが立ち上がる寸前に着座部１にブレーキを掛けることで容易に解決できる。ブレーキレバーの構成は、介護椅子等で周知であるのでここでは説明を省略する。
【００４７】
以上の通り、本実施形態の椅子１０Ａは、台座部２の前端部２ｅと後段部２ｆとを結ぶ二点鎖線から床面Ｆ方向に突出した位置にある傾動支点Ｋを設けたことを特徴とするが、その後傾角度α（図２（ｂ）〜（ｄ））は台座部２の傾動支点Ｋを床面Ｆの前後方向に移動させることで容易に調節できる。
【００４８】
これを具体的に示したのが図３であり、このうち図３（ａ）は、台座部２の一部を破断して示した側面図である。すなわち、図３（ａ）に示すように、台座部２の切欠面２ｃに一定ピッチで複数の雌ねじ穴２ｄを前後方向に設けておき、このうちの適宜の雌ねじ穴２ｄ位置にブロック７をボルト７ａで固定すれば台座部２の傾動支点Ｋの位置を前後方向に容易に変更することができる。図３（ａ）の二点鎖線２は、傾動支点Ｋを変更後の台座部２を示し、ブロック７の接地面２ａの左端部が変更後の台座部２の傾動支点Ｋとなる。
【００４９】
また、符号６は、フットレストであり、このようなフットレスト６を用いると使用者Ｐの踵位置が床面Ｆから高くなるので、足が楽になるばかりか、床面Ｆと台座部２の前端との間にできた隙間Ｒに踵が挟まれるという危険を防止できる効果がある。
【００５０】
また、図３（ｂ）に示すように、傾動支点Ｋは、板状体８ａの中央部に溶接した丸棒８ｂを傾動支点Ｋとした介設部材８を、台座部２の裏面の前後方向の適当な位置に前述したような固定方法で固定しても良い。この実施形態のものは、図３（ａ）の台座部２のように切欠面２ｂを設ける必要がないので、台座部２の形状がシンプルになる効果を有する。
【００５１】
図３に示した傾動支点Ｋは、いずれも台座部２の前端部と後端部とを結ぶ線よりも床面Ｆ方向に突出した傾動支点Ｋを台座部２の下面に固定したものであるが、傾動支点Ｋは台座部２の下面のみならず、台座部２の側面に設けることもできる。この態様を図示したのが図４である。
【００５２】
すなわち、図４は、傾動支点Ｋを台座部２の外側面に設けた例であり、図４（ａ）は台座部２の側面図、図４（ｂ）は、図４（ａ）の台座部２の円領域Ｅの拡大平面図である。
【００５３】
これらの図に示すように、台座部２の両側面から外側方向に、床面Ｆと平行に張り出し長さがＬ３のピン９が３本片持ち状に前後の間隔が等間隔で固定されている。そして、床面Ｆと上記ピン９との間には、上記ピン９を支えるピン受け台１０が設けられ、床面Ｆから台座部２の底面までの高さがТになるように支持している。したがって、本図では、ピン受け台で支えたピンが椅子１０Ａ全体の傾動支点Ｋとなり、台座部２は図の２点鎖線２のように後傾できる。
【００５４】
なお、本実施形態では、ピンは台座部２の外側面に設けたが、勿論、内側面に設けても良い。
【実施形態２】
【００５５】
図５は、本発明の第２実施形態に係る椅子１０Ｂの側面図であり、その特徴は図１の椅子１０Ｂの台座部２の前端部に安全カバー１１を設けたものである。
【００５６】
本図では、図１の椅子１０Ａと同一の部材は同一の符号を付し、異なる点のみ説明する。
【００５７】
前述したように、本発明の椅子１０Ｂは、後傾したときに台座部２の前端部が床面Ｆに対して隙間ｈ分だけ浮き上がるが、椅子１０Ｂが前傾したときに台座部２の前端部が接地するので、使用者の踵部分を挟み、使用者が怪我をする場合がある。そこで、床面Ｆから浮き上がった当該隙間ｈ分を常に覆うようにしたのが本実施形態における安全カバー１１である。
【００５８】
このタイプの安全カバー１１は、種々の形態のものが考えられるが、一例として図６に示した２例がある。すなわち、図６（ａ）の安全カバー１１は、図５に設けられている安全カバー１１と同じもので、台座部２の前半部を防護板１１ａで包囲したタイプの安全カバー１１の斜視図、図６（ｂ）は隙間Ｈ分だけ使用者の足位置を床面Ｆから高くした足敷き台１２ａを前半部に設けたタイプの安全台１２の斜視図である。
【００５９】
次の図７は、図６（ａ）のタイプの安全カバー１１の３面図で、このうち図７（ａ）は平面図、図７（ｂ）は正面図、図７（ｃ）は左側面図である。
【００６０】
図７（ａ）の平面図において、符号の２点鎖線は、図５の台座部２を示し、符号の２点鎖線は、使用者Ｐの足位置を示している。この防護板タイプの安全カバー１１は、矩形状のプレート１１ｂの前縁部１１ｃが、使用者の足位置分だけ図の下方に切り込まれており、使用者の足位置と台座部２の前半部間には、図７（ｂ）及び図７（ｃ）に示すようにプレート表面から高さが、前述した床面Ｆから浮き上がった隙間ｈ以上の高さＨ（Ｈ＞ｈ）を有する防護板１１ａが適当な固定手段で固定されている。また、符号Ｋは、図５の台座部２の傾動支点であり、プレート表面にボルト締め、接着、溶接等の適当な固定手段で固定されている。
【００６１】
したがって、本実施形態の椅子１０Ｂによれば、椅子１０Ｂに座った状態の使用者が傾動支点Ｋを支点として、着座面１ａ上で体重を移動することにより、後傾姿勢のみならず前傾姿勢をも取ることができる。
【００６２】
そして、図５に示したように、椅子１０Ｂが後傾して台座部２の前端部と床面Ｆとの間に隙間ｈができても、使用者の足位置と台座部２の前半部間にプレート表面からの高さがＨ（Ｈ＞ｈ）の防護板１１ａが固定されているため、使用者が自身の身体の移動により後傾姿勢から前傾姿勢に傾けても、自分の足を台座部２の先端部で挟むことがない。
【００６３】
図８は、図６（ｂ）の足敷き台１２ａを設けたタイプの安全台１２の３面図で、このうち図８（ａ）は平面図、図８（ｂ）は正面図、図８（ｃ）は左側面図である。
【００６４】
このタイプの安全台１２が図７で前述した防護板タイプの安全カバー１１と異なる点は、プレート前縁部に防護板１１ａがない代わりに、プレート１２ｂ前方に図５の椅子１０Ｂが後傾した場合にできる床面Ｆと台座部２下面間の隙間Ｒの高さｈを越える高さＨ（Ｈ＞ｈ）の足敷き台１２ａを設けた点にあり、その他の点は図７の防護板タイプの安全カバー１１と同じである。
【００６５】
したがって、本実施形態の椅子１０Ｂによれば、椅子１０Ｂに座った状態の使用者が傾動支点Ｋを支点とすることができるので、上記防護板タイプの安全カバー１１を備えた椅子１０Ｂと同様、後傾姿勢のみならず前傾姿勢をもとることができる。また、使用者の足は、上記隙間Ｒの高さｈよりも足敷き台１２ａの高さＨ（Ｈ＞ｈ）分だけ常に高い位置にあるから、椅子が前傾姿勢になっても台座部２で物理的に自分の足を挟むということがない。
【００６６】
なお、このタイプの安全台１２は、足敷き台１２ａの内部に公知の伝熱ヒータを内蔵すれば椅子１０Ｂの使用時期が冬期の場合は大変暖かくなるため、使用者が老人や身障者の場合は大変使い勝手の良いものになる。
【実施形態３】
【００６７】
図９は、本発明の第３実施形態に係るパイプ椅子タイプのパイプ椅子１０Ｃの図で、このうち図９（ａ）は、その全体斜視図、図９（ｂ）は、図９（ａ）の椅子１０Ｃの使用状態を示す部分図である。
【００６８】
すなわち、本実施形態のパイプ椅子１０Ｃは、市販されているパイプ椅子を本発明のパイプ椅子１０Ｃに改良したもので、パイプ椅子の前脚１３と後脚１４間を、下方に「く」の字状に折れ曲がった一対の連結パイプ１５で連結したものである。図示を省略したが連結パイプ１５の両端部は、前脚１３及び後脚１４の把持部が２つ割りになっており、前脚１３と後脚１４とにボルト及びナットで強固に固定できるようになっている。
【００６９】
したがって、図９（ｂ）に示すように、本実施形態のパイプ椅子１０Ｃによっても着座部１に座った使用者は、傾動支点Ｋを支点として後方に体重移動をすることで、傾動支点Ｋを支点として後脚１４の下端部が床面Ｆに接地するので、パイプ椅子１０Ｃと一体となって後傾姿勢を取ることができる。また、身体の重心Ｇ（図２）を前方に移動させれば、傾動支点Ｋを支点として前脚１３の下端部が床面Ｆに接地するので、前傾姿勢をもとることができる。
【００７０】
図１０は、傾動支点Ｋの他の実施形態で、このうち図９（ａ）は部分側面図、図９（ｂ）は図９（ａ）中の支点部のＡ―Ａ線位置における横断面図である。
【００７１】
このパイプ椅子は、前脚１３と後脚１４間が幅方向の両端部で連続して繋がっているタイプのもので、図１０（ｂ）の横断面図に示すように、上部が既存パイプへの装着用の開口部１７ａが設けられ、中央部が突出している「そろばん玉」状の傾動支点部材１７を装着してボルト１７ｂで固定したものである。したがって、「そろばん玉」状の傾動支点部材１７の最大外周線が傾動支点Ｋとなり、前傾姿勢又は後傾姿勢を容易に取ることができる。したがって、本実施形態の椅子は、座ることも立ち上がることも楽な椅子である。
【実施形態４】
【００７２】
前述の実施形態３のパイプ椅子１０Ｄは、市販されているパイプ椅子の前脚１８と後脚１９間を連結パイプ１５で連結したものであるため使用後に折り畳めなかったが、本実施形態のパイプ椅子１０Ｄは、市販のパイプ椅子の前脚１８と後脚１９間に、下端部２０ｂが傾動支点Ｋとなる第３の脚２０を介設することにより、使用後に折り畳みを可能にしたものである。
【００７３】
以下、図１１及び図１２を用いて改良点のみ示すが、図１１は、パイプ椅子１０Ｄを折り畳んだ状態の２点鎖線位置から開いた状態を実線で示す側面図、図１２は、図１１のパイプ椅子１０Ｄを折り畳んだ状態を示す側面図である。
【００７４】
図１１において、第３の脚２０の上端部は、前脚１８に固定された支持金具２１に第３の脚２０の上部ピン２０ａがピン結合されることで、上部ピン２０ａが支持金具２１に枢支されている。上部ピン２０ａのやや下方にも折畳み用ピン２０ｃが設けられ、この折畳み用ピン２０ｃには、前脚側リンク２２の一端部と、後脚側リンク２３の一端部とがピン結合されている。前脚側リンク２２の他端部は、前脚１８の着座部ピン１８ａよりも下方位置の折畳み用ピン１８ｃでピン結合され、一方、後脚側リンク２３の他端部は、後脚１９の着座部ピン１９ｅの支持金具１９ｄよりも下方位置の折畳み用ピン１９ｃで後脚１９とピン結合されている。
【００７５】
なお、後脚１９は、その上端部の後脚上部ピン１９ｄが支持金具２１に枢支されているとともに、後脚１９の上部近傍から着座１方向に延設された支持金具２１に設けられた着座部ピン１９ｅが着座部１とピン結合している。また、後脚１９は、下部をシリンダ１９Ａとし、上部をピストン１９Ｂとする芯鞘構造になっており、図１１の２点鎖線で示すように、後脚１９上部のピストン１９Ｂが後脚１９下部のシリンダ１９Ａに対して進退できるようになっている。
【００７６】
図の実線で表したパイプ椅子１０Ｄは、床面Ｆに対して着座面１ａが平行になっているので、通常の使用状態を示している。すなわち、この状態は、使用者が自分の体重を第３の脚２０の下端部よりも前方に位置するように、着座部１上に座ることで実現できる。
【００７７】
次に、使用者が前述の図２（ｂ）で示したように、視点をやや上方に移したい場合は、自分の体重を第３の脚２０の下端部２０ｂよりも後方に移動させることで、後脚１９の下端部１９ｂが２点鎖線で示す床面Ｆに接地するので実現できる。この場合、図示を省略したが第３の脚２０は、使用者の体重により後脚側リンク２３が前後方向（図の左右方向）に延び切る位置で停止し、後脚１９は図の実線で示すように、シリンダ側後脚１９Ａの上端部がピストン側後脚１９Ｂの下端部に当接する位置で停止し、この位置で第３の脚２０と後脚１９とが安定する。したがって、本実施形態のパイプ椅子は、座ることも立ち上がることも楽な椅子となる。
【００７８】
図１１の状態からパイプ椅子１０Ｄを折り畳むと、図１２の側面図の状態になる。すなわち、第３の脚２０は、上部ピン２０ａに枢支された状態で半時計方向に回動して前脚１８に接触し、一方、後脚１９は、その上端部が後脚上部ピン１９ａに枢支された状態で半時計方向に回動しつつ、シリンダ側後脚１９Ａが後脚側リンク２３の他端部で下方に引き下げられる。他方、着座部１は、ピン１８ａを中心として着座部ピン１９ｅが反時計方向に回動して、図の立設状態に収納される。
【００７９】
以上の実施形態において、本発明に係る種々のタイプの椅子１０Ａ〜１０Ｄの例を説明したが、本発明は上記実施形態のものに限定されず、特許請求の範囲で示した技術的思想の範囲内で種々の変形例または応用例に変形することが可能であり、これらの変形例も本発明の範囲に含まれることは勿論である。
【産業上の利用可能性】
【００８０】
本発明に係る、座るのも立ち上がるのも楽な椅子は、特に身障者や老人等の介護用椅子として好適のものであるが、その他、例えば映画館の座席や、タクシーの後部座席、会議用パイプ椅子等のように、使用中においてやや上向き加減の着座姿勢を必要とする用途に特に便利なものである。
【図１】
2015123269.tif 000003
【図２】
2015123269.tif 000004
【図３】
2015123269.tif 000005
【図４】
2015123269.tif 000006
【図５】
2015123269.tif 000007
【図６】
2015123269.tif 000008
【図７】
2015123269.tif 000009
【図８】
2015123269.tif 000010
【図９】
2015123269.tif 000011
【図１０】
2015123269.tif 000012
【図１１】
2015123269.tif 000013
【図１２】
2015123269.tif 000014
【図１３】
2015123269.tif 000015